(57)【要約】【課題】接続部材の差し込みを片方だけにして組み立て作業を容易にするとともに接続部材が引き出されて外れたりしないようにする加熱調理器を提供することを目的とする。【解決手段】被加熱物を載置する天板１２と、天板１２の外周を覆う外枠１３と、外枠１３の端面１３ａと相対する位置に切り欠き部１６を設けた上板１５と、外枠１３の内側に挿入保持される挿入部１７ａと外枠端面と切り欠き部の間の隙間を埋める接ぎ部１７ｂで形成された接続部材１７とを備え、上板１５は天板１２の外周に覆い被せるとともに接ぎ部１７ｂの高さを外枠１３と上板１５の上面部とほぼ同一かまたは低く設定したものである。これによって、接続部材１７の挿入が外枠だけでよく、組み立て作業が容易になる。また、接ぎ部１７ｂの高さの設定により、清掃時に手や布巾などが接ぎ部に触れても引っ掛からず接続部材が引き出されて外れたりすることがない。【選択図】図３
2008135320.tif 000002
【特許請求の範囲】
【請求項１】
鍋などの被加熱物を載置する天板と、前記天板の外周を、一部を残した状態で覆う外枠と、前記外枠の残りの箇所に配置し外枠の端面と相対する位置には切り欠き部を設けた上板と、前記外枠の内側に挿入保持される挿入部と前記外枠端面と切り欠き部の間の隙間を埋める接ぎ部で形成された接続部材とを備え、前記上板は天板の外周に覆い被せるとともに外枠端面と切り欠き部で囲まれた接続部材の接ぎ部の高さを外枠と上板の上面部とほぼ同一かまたは低く設定した加熱調理器。
【請求項２】
接続部材の接ぎ部は、上板との当接側を天板側が低くなるように傾斜させた傾斜面とし、上板を取り付けた時に上板が傾斜面と当接し傾斜面を覆うようにした請求項１に記載の加熱調理器。
【請求項３】
天板の下面を支える下枠を備え、この下枠には上板側に張り出して上板を支持する支持部を設け、この支持部を支点にして上板を天板に覆い被せて組み立てるようにした請求項１または２に記載の加熱調理器。
【請求項４】
天板の下面を支える下枠には、外枠と下枠を固定する固定手段と、接続部材の裏側に当接する当接部を設け、固定手段により外枠を下枠に取り付けた時に接続部材が当接部に当接するようにした請求項３に記載の加熱調理器。
【請求項５】
接続部材の裏側に当接する当接部の長さを接続部材の挿入部よりも短くし、挿入部には当接部に引っ掛ける段差部を設けた請求項４に記載の加熱調理器。
【請求項６】
天板に載置した被加熱物を接続部材側にずらした時に被加熱物を浮かせ接ぎ部との接触を防止する凸部を設けた請求項１〜５のいずれか１項に記載の加熱調理器。
【請求項７】
接続部材を弾性体で形成し、天板および外枠に圧接した請求項１〜６のいずれか１項に記載の加熱調理器。
【発明の詳細な説明】
【技術分野】
【０００１】
本発明は、天板構成に特長を有する誘導加熱調理器などの加熱調理器に関するものである。
【背景技術】
【０００２】
従来、この種の誘導加熱調理器の天板構成としては、天板の外周を保護するために分割した外枠で覆っているものがあった（例えば、特許文献１参照）。
【０００３】
その構成は、図１２、図１３に示すように、本体１の上方には鍋などの被加熱物を載置する天板２が配置され、天板２の外周は４分割した断面が略コの字形状をした金属製の外枠３ａ、３ｂ、３ｃ、３ｄで覆われている。分割した外枠３ａ、３ｂ、３ｃ、３ｄの相対向する端部には略中間部に膨出部４ａを有する樹脂製の接続部材４が設けられ、接続部材４が外れないようにするために膨出部４ａの両側は外枠３ａ、３ｂ、３ｃ、３ｄの両方に差し込まれている。そして、天板２と外枠３ａ、３ｂ、３ｃ、３ｄと接続部材４は、天板２上に水をこぼした時に本体１内に水が入らないように相互に接着しシールしている。
【特許文献１】特開２００６−５９７４３号公報
【発明の開示】
【発明が解決しようとする課題】
【０００４】
しかしながら、前記従来の構成では、接続部材４を相対向する２つの外枠（例えば、３ａと３ｃ）の両方に差し込むようにしてあるため、天板２と外枠３ａ、３ｂ、３ｃ、３ｄと接続部材４を組み立てる時には、まず外枠３ｃと３ｄおよび接続部材４に接着剤を塗布して天板２に取り付ける。そして、外枠３ａと３ｂの内側に接着剤を塗布して接続部材４の方向にスライドさせながら取り付けるものである。このように、外枠３ａと３ｂをスライドさせるため、接着剤が手前の不要な部分に付いたり接着剤が流れたりして、組み立て作業が難しいという課題を有していた。
【０００５】
本発明は、前記従来の課題を解決するもので、接続部材の差し込みを片方だけにして組み立て作業を容易にするとともに片方の差し込みだけでも接続部材が引き出されて外れたりしないようにする加熱調理器を提供することを目的とする。
【課題を解決するための手段】
【０００６】
前記従来の課題を解決するために、本発明の誘導加熱調理器は、鍋などの被加熱物を載置する天板と、前記天板の外周を、一部を残した状態で覆う外枠と、前記外枠の残りの箇所に配置し外枠の端面と相対する位置には切り欠き部を設けた上板と、前記外枠の内側に挿入保持される挿入部と前記外枠端面と切り欠き部の間の隙間を埋める接ぎ部で形成された接続部材とを備え、前記上板は天板の外周に覆い被せるとともに外枠端面と切り欠き部で囲まれた接続部材の接ぎ部の高さを外枠と上板の上面部とほぼ同一かまたは低く設定したものである。
【０００７】
これによって、接続部材の挿入が外枠だけでよく、組み立て作業が容易になる。また、接ぎ部を外枠端面と切り欠き部で囲むとともに接ぎ部の高さを外枠と上板の上面部とほぼ同一かまたは低くしてあるため、清掃時に手や布巾などが接ぎ部に触れても引っ掛からず接続部材が引き出されて外れたりすることがない。
【発明の効果】
【０００８】
本発明の加熱調理器は、天板、外枠、上板および接続部材の組み立て作業が容易になるとともに、清掃時に手や布巾などが接ぎ部に触れても引っ掛からず接ぎ部が引き出されて外れたりすることがないものである。
【発明を実施するための最良の形態】
【０００９】
第１の発明は、鍋などの被加熱物を載置する天板と、前記天板の外周を、一部を残した状態で覆う外枠と、前記外枠の残りの箇所に配置し外枠の端面と相対する位置には切り欠き部を設けた上板と、前記外枠の内側に挿入保持される挿入部と前記外枠端面と切り欠き部の間の隙間を埋める接ぎ部で形成された接続部材とを備え、前記上板は天板の外周に覆い被せるとともに外枠端面と切り欠き部で囲まれた接続部材の接ぎ部の高さを外枠と上板の上面部とほぼ同一かまたは低く設定した加熱調理器とすることにより、接続部材の挿入が外枠だけでよく、組み立て作業が容易になる。また、接ぎ部を外枠端面と切り欠き部で囲むとともに接ぎ部の高さを外枠と上板の上面部とほぼ同一かまたは低くしてあるため、清掃時に手や布巾などが接ぎ部に触れても引っ掛からず接ぎ部が引き出されて外れたりすることがない。
【００１０】
第２の発明は、特に、第１の発明において、接続部材の接ぎ部は、上板との当接側を天板側が低くなるように傾斜させた傾斜面とし、上板を取り付けた時に上板が傾斜面と当接し傾斜面を覆うようにしたことにより、接ぎ部を一層引き出しにくくすることができ、また、継ぎ目の目立たないデザイン性の良い機器を提供することができる。
【００１１】
第３の発明は、特に、第１または第２の発明において、天板の下面を支える下枠を備え、この下枠には上板側に張り出して上板を支持する支持部を設け、この支持部を支点にして上板を天板に覆い被せて組み立てるようにしたことにより、上板を正規の位置に載せやすく組み立てをさらに容易にすることができる。
【００１２】
第４の発明は、特に、第３の発明において、天板の下面を支える下枠には、外枠と下枠を固定する固定手段と、接続部材の裏側に当接する当接部を設け、固定手段により外枠を下枠に取り付けた時に接続部材が当接部に当接するようにしたことにより、天板の幅のばらつきに関係なく接続部材を当接部で支え天板側に落ち込まないようにして脱落を防ぐことができる。
【００１３】
第５の発明は、特に、第４の発明において、接続部材の裏側に当接する当接部の長さを接続部材の挿入部よりも短くし、挿入部には当接部に引っ掛ける段差部を設けたことにより、接続部材を外枠から抜く方向に力が働いても接続部材が抜けないようにすることができる。
【００１４】
第６の発明は、特に、第１〜第５のいずれか１つの発明において、天板に載置した被加熱物を接続部材側にずらした時に被加熱物を浮かせ接ぎ部との接触を防止する凸部を設けたことにより、熱せられた鍋などの被加熱物を接ぎ部の上に置かれても被加熱物が直接接ぎ部に触れず、接ぎ部の変形や焦げを防ぐことができる。
【００１５】
第７の発明は、特に、第１〜第６のいずれか１つの発明において、接続部材を弾性体で形成し、天板および外枠に圧接したことにより、天板と接続部材および外枠と接続部材の接着が不十分でもシール性を確保することができる。
【００１６】
以下、本発明の実施の形態について、図面を参照しながら説明する。なお、この実施の形態によって本発明が限定されるものではない。
【００１７】
（実施の形態１）
図１〜図４は、本発明の実施の形態１における加熱調理器として誘導加熱調理器を例示している。
【００１８】
図１、図２に示すように、本実施の形態における加熱調理器は、本体１１の内部に誘導加熱コイルや制御装置など（図示せず）が内蔵され、その上方は結晶化ガラスなどで形成された天板１２で覆われ調理用の鍋ヤフライパンなどの被加熱物ａが載置される。天板１２の外周１２ａの３辺は断面が略Ｃの字形状をした外枠１３で覆われ、残りの１辺は操作部１４を有する上板１５が覆い被せられており上板１５で覆われている。上板１５には天板１２との接触部１５ａと接触部１５ａよりも高さを高くした上面部１５ｂが形成され、上面部１５ｂには外枠端面１３ａと相対する位置に切り欠き部１６が設けられている。外枠端面１３ａには断面が略Ｃの字形状をした接続部材１７が取り付けられている。
【００１９】
図３、図４に示すように、接続部材１７は外枠１３の内側に挿入される挿入部１７ａおよび切り欠き部１６と外枠端面１３ａの間の隙間を埋める接ぎ部１７ａで形成されている。外枠端面１３ａと接ぎ部１７ｂはともに切り欠き部１６に配置され、接ぎ部１７ｂは外枠１３と上面部１５ｂで囲まれている。接ぎ部１７ｂは外枠１３の表面１３ｂおよび上板１５の上面部１５ｂと高さをほぼ同一かまたは低くしてあり、清掃時に布巾などが引っ掛からないようにしてある。また、外枠１３、上板１５、接続部材１７には接着剤が塗布され、それぞれを接着固定している。
【００２０】
以上のように構成された加熱調理器について、以下その動作、作用を説明する。
【００２１】
まず、上記構成において、外枠１３と接続部材１７を天板１２に取り付ける時には、接続部材１７の挿入部１７ａに接着剤を塗布し外枠１３の内側に挿入する。そして、外枠１３および挿入部１７ａの内側に接着剤を塗布し天板１２の外周１２ａを覆うようにはめ込むと、接着剤により天板１２、外枠１３、接続部材１７が接着されシールされる。次に上板１５を天板１２に取り付ける時には、上板１５が天板１２を覆う部分に接着剤を塗布し、上から天板１２に被せる。すると、接着剤により天板１２、上板１５、接続部材１７が接着されシールされる。このように、上板１５を取り付ける時に上から覆い被せるだけでよく、接続部材１７に対して上板１５をスライドさせる必要がなく組み立て作業が容易である。また、接ぎ部１７ｂが外枠１３の表面１３ｂと上板１５の上面部１５ｂで囲まれかつ突出していないため、清掃時に手や布巾などが接ぎ部１７ｂに触れても引っ掛からず接ぎ部１７ｂが引き出されて取れたりすることがない。
【００２２】
このように、本実施の形態においては、上板を取り付ける時に覆い被せるものであり、接続部材は外枠に挿入する挿入部と外枠端面と切り欠き部の間の隙間を埋める接ぎ部で形成したことにより、接続部材の挿入が外枠だけで上板をスライドさせる必要がなく、組み立て作業が容易になる。また、接ぎ部を外枠と上板の上面部で囲むとともに接ぎ部の高さを外枠と上板の上面部とほぼ同一かまたは低くしてあるため、清掃時に手や布巾などが接ぎ部に触れても引っ掛からず接ぎ部が引き出されて取れたりすることがない。
【００２３】
（実施の形態２）
図５、図６は、本発明の実施の形態２における加熱調理器の接続部材関連構成を示している。実施の形態１と同一要素については同一符号を付してその説明を省略する。
【００２４】
本実施の形態における加熱調理器は、接続部材１７の接ぎ部１７ｂの上板１５との当接側を天板１２側が低くなるように傾斜させた傾斜面１７ｃとし、上板１５を取り付けた時に上板１５が傾斜面１７ｃと当接し傾斜面１７ｃを覆うようにしてある。他の構成は実施の形態１と同様である。
【００２５】
このように、本実施の形態においては、接続部材の接ぎ部の上板との当接側を傾斜面としたことにより、接ぎ部の角が鈍角になり布巾などが引っ掛かりにくく、さらに上板で覆っているため接ぎ部は一層引き出されにくい。また、外枠や上板の取り付け位置がばらついて間隔が広がっても、上板が傾斜面を覆っているため切り欠き部から天板が見えず継ぎ目の目立たないデザイン性の良い機器を提供することができる。
【００２６】
（実施の形態３）
図７、図８は、本発明の実施の形態３における加熱調理器の天板および上板の関連構成を示している。実施の形態１と同一要素については同一符号を付してその説明を省略する。
【００２７】
本実施の形態における加熱調理器は、天板１２の下面を支える下枠１８を備え、この下枠１８には上板１５側に張り出して上板１５を支持する支持部１８ａを設け、この支持部１８ａの先端部に上板１５を引っ掛け、ここを支点にして上板１５を天板１２に覆い被せて組み立てるようにしたものである。これにより、上板１５には天板１２との接触部１５ａと接触部１５ａよりも高さを高くした上面部１５ｂが形成される。他の構成は実施の形態１と同様である。
【００２８】
このように、本実施の形態においては、天板を支える下枠を上板側に張り出して上板を支持する支持部を設け、支持部を支点に上板を覆い被せて組み立てるようにしたことにより、上板を正規の位置に載せやすく組み立てをさらに容易にすることができる。
【００２９】
（実施の形態４）
図９は、本発明の実施の形態４における加熱調理器の天板および外枠の関連構成を示している。実施の形態１、３と同一要素については同一符号を付してその説明を省略する。
【００３０】
本実施の形態における加熱調理器は、天板１２の下面を支える下枠１８には、外枠１３と下枠１８を固定する固定手段１９と、接続部材１７の裏側に当接する当接部１８ｂを設け、固定手段１９により外枠１３を下枠１８に取り付けた時に接続部材１７が当接部１８ｂに当接するようにしたものである。すなわち、外枠１３は天板１２に関係なく位置が決まるようになっている。他の構成は実施の形態１、３と同様である。
【００３１】
このように、本実施の形態においては、外枠と下枠を固定する固定手段と接続部材の裏側に当接する当接部を下枠に設け、外枠を下枠に取り付けた時に接続部材が当接部に当接するようにしたことにより、天板の幅のばらつきに関係なく接続部材を当接部で支え天板側に落ち込まないようにして脱落を防ぐことができる。
【００３２】
（実施の形態５）
図１０は、本発明の実施の形態５における加熱調理器の天板および外枠の関連構成を示している。実施の形態１、３、４と同一要素については同一符号を付してその説明を省略する。
【００３３】
本実施の形態における加熱調理器は、接続部材１７の裏側に当接する当接部１８ｂの長さを接続部材１７の挿入部１７ａよりも短くし、挿入部１７ａには当接部１８ｂに引っ掛ける段差部１７ｄを設けたものである。すなわち、外枠１３を下枠１８に取り付けると段差部１７ｄが当接部１８ｂに掛かり、接続部材１７を外枠１３から抜く方向に力が働いても接続部材１７が抜けることがないようになっている。他の構成は実施の形態１、３、４と同様である。
【００３４】
このように、本実施の形態においては、当接部の長さを接続部材の挿入部よりも短くし、挿入部に当接部に引っ掛ける段差部を設けたことにより、接続部材を外枠から抜く方向に力が働いても接続部材が抜けることがない。
【００３５】
（実施の形態６）
図１１は、本発明の実施の形態６における加熱調理器の天板および上板の関連構成を示している。実施の形態１と同一要素については同一符号を付してその説明を省略する。
【００３６】
本実施の形態における加熱調理器は、天板１２に載置した被加熱物ａを接続部材１７側にずらした時に被加熱物ａを浮かせ接ぎ部１７ｂとの接触を防止する凸部２０を設けたものである。図では、凸部２０を上板１５の上面部１５ｂに接ぎ部１７ｂ近傍まで直線状に形成した例を示しているが、凸部２０は接続部材１７の近傍にあればよく、その形状および位置は限定されるものではない。因みに、凸部２０は複数の突起であってもよく、天板１２や外枠１３に形勢してもよいものである。他の構成は実施の形態１と同様である。
【００３７】
このように、本実施の形態においては、接続部材の近傍に凸部を設け、天板に載置した鍋などの被加熱物をずらした時に被加熱物鍋を凸部で浮かせ接ぎ部との接触を防止するようにしたことにより、熱せられた被加熱物を接ぎ部の上に置かれても被加熱物が直接接ぎ部に触れず、接ぎ部の変形や焦げを防ぐことができる。
【００３８】
（実施の形態７）
次に、本発明の実施の形態７における加熱調理器について説明する。
【００３９】
本実施の形態では、実施の形態１〜７に示す接続部材１７を弾性体で形成し、接続部材１７を天板１２および外枠１３に圧接したことにより、天板１２と接続部材１７および外枠１３と接続部材１７の接着が不十分でも接続部材１７の弾性力によりシール性を確保することができるようにしたものである。接続部材１７を形成する弾性体としては、耐熱性を有するものであればよく、特にその材料は限定されるものではない。
【００４０】
このように、本実施の形態においては、接続部材を弾性体で形成し接続部材を天板および外枠に圧接したことにより、天板と接続部材および外枠と接続部材の接着が不十分でもシール性を確保することができる。
【産業上の利用可能性】
【００４１】
以上のように、本発明にかかる加熱調理器は、天板、外枠、上板および接続部材の組み立て作業が容易になるとともに、清掃時に手や布巾などが接ぎ部に触れても引っ掛からず接ぎ部が引き出されて外れたりすることがないので、誘導加熱調理器に限らず天板と外枠を有する加熱調理器全般に適用できる。
【図面の簡単な説明】
【００４２】
【図１】本発明の実施の形態１における加熱調理器の斜視図
【図２】同加熱調理器の要部の斜視図
【図３】同加熱調理器の要部の平面図
【図４】同加熱調理器の要部の断面図
【図５】本発明の実施の形態２における加熱調理器の接続部材の斜視図
【図６】同加熱調理器の要部の断面図
【図７】本発明の実施の形態３における加熱調理器の分解斜視図
【図８】同加熱調理器の要部の断面図
【図９】本発明の実施の形態４における加熱調理器の要部の断面図
【図１０】本発明の実施の形態５における加熱調理器の要部の平断面図
【図１１】本発明の実施の形態６における加熱調理器の要部の斜視図
【図１２】従来例における誘導加熱調理器の斜視図
【図１３】同誘導加熱調理器の部分断面図
【符号の説明】
【００４３】
１２  天板
１２ａ  外周
１３  外枠
１３ａ  外枠端面
１５  上板
１５ｂ  上面部
１６  切り欠き部
１７  接続部材
１７ａ  挿入部
１７ｂ  接ぎ部
１７ｃ  傾斜面
１７ｄ  段差部
１８  下枠
１８ａ  支持部
１８ｂ  当接部
１９  固定手段
２０  凸部
【図１】
2008135320.tif 000003
【図２】
2008135320.tif 000004
【図３】
2008135320.tif 000005
【図４】
2008135320.tif 000006
【図５】
2008135320.tif 000007
【図６】
2008135320.tif 000008
【図７】
2008135320.tif 000009
【図８】
2008135320.tif 000010
【図９】
2008135320.tif 000011
【図１０】
2008135320.tif 000012
【図１１】
2008135320.tif 000013
【図１２】
2008135320.tif 000014
【図１３】
2008135320.tif 000015